(57)【要約】【課題】パケット経路の信号劣化の検出方法、装置及びシステムを提供する。【解決手段】該方法は、サービス層／サービスサブ層が自体の信号劣化を確定し、クライアント層／クライアントサブ層のパケット経路のシンクノードに周期的にパケット経路の信号劣化状態への進入を指示する信号劣化指示情報を送信するステップを含む。本発明によると、検出結果の信頼性を保証でき、検出プロセスを簡略化できる。【選択図】図２
2014519282.tif 000002
【特許請求の範囲】
【請求項１】
サービス層／サービスサブ層が、自体の信号劣化を確定するステップと、
クライアント層／クライアントサブ層のパケット経路のシンクノードに周期的に、前記パケット経路の信号劣化状態への進入を指示する信号劣化指示情報を送信するステップとを含むパケット経路の信号劣化の検出方法。
【請求項２】
サービス層／サービスサブ層が自体の信号劣化を確定するステップは、
前記サービス層／サービスサブ層中の前記パケット経路に対応する各段のサービス層／サービスサブ層がそれぞれ、自体の信号劣化を検出し、
前記各段のサービス層／サービスサブ層中のいずれかの一つのサービス層／サービスサブ層が自体の信号劣化を検出した場合、前記サービス層／サービスサブ層の信号劣化を確定するステップを含む請求項１に記載の方法。
【請求項３】
クライアント層／クライアントサブ層のパケット経路のシンクノードに周期的に信号劣化指示情報を送信するステップは、
運用・管理・保守ＯＡＭメッセージに前記信号劣化指示情報を携帯し、
下流ノードによって前記シンクノードに前記ＯＡＭメッセージを送信するステップを含む請求項１に記載の方法。
【請求項４】
クライアント層／クライアントサブ層のパケット経路に周期的に信号劣化指示情報を送信した後、
前記サービス層／サービスサブ層が、自体の信号劣化の消失を確定し、
前記クライアント層／クライアントサブ層のパケット経路に周期的に信号劣化指示情報を送信することを停止するステップをさらに含む請求項１に記載の方法。
【請求項５】
前記信号劣化指示情報は、前記サービス層／サービスサブ層の信号劣化状態を含む請求項１から４のいずれか１項に記載の方法。
【請求項６】
クライアント層／クライアントサブ層のパケット経路のシンクノードが、パケット経路の信号劣化状態への進入を指示する信号劣化指示情報を受信し、
前記パケット経路の信号劣化状態への進入を制御するステップを含むパケット経路の信号劣化の検出方法。
【請求項７】
前記パケット経路の信号劣化状態への進入を制御した後、
前記シンクノードが、予め設定した時間内で信号劣化指示情報を受信していないと確定し、
前記パケット経路の信号劣化状態からの退出を制御するステップをさらに含む請求項６に記載の方法。
【請求項８】
サービス層／サービスサブ層に応用されるパケット経路の信号劣化の検出装置であって、
前記サービス層／サービスサブ層の信号劣化を確定する確定モジュールと、
前記クライアント層／クライアントサブ層のパケット経路のシンクノードに周期的に、前記パケット経路の信号劣化状態への進入を指示する信号劣化指示情報を送信する送信モジュールと、を含むパケット経路の信号劣化の検出装置。
【請求項９】
クライアント層／クライアントサブ層のパケット経路のシンクノードに応用されるパケット経路の信号劣化の検出装置であって、
前記パケット経路の信号劣化状態への進入を指示する信号劣化指示情報を受信する受信モジュールと、
前記パケット経路の信号劣化状態への進入を制御する制御モジュールと、を含むパケット経路の信号劣化の検出装置。
【請求項１０】
サービス層／サービスサブ層とクライアント層／クライアントサブ層のパケット経路のシンクノードとを含むパケット経路の信号劣化の検出システムであって、
前記サービス層／サービスサブ層は、
前記サービス層／サービスサブ層の信号劣化を確定する確定モジュールと、
前記クライアント層／クライアントサブ層のパケット経路のシンクノードに周期的に、前記パケット経路の信号劣化状態への進入を指示する信号劣化指示情報を送信する送信モジュールと、を含み、
前記クライアント層／クライアントサブ層のパケット経路のシンクノードは、
信号劣化指示情報を受信する受信モジュールと、
前記パケット経路の信号劣化状態への進入を制御する制御モジュールと、を含むパケット経路の信号劣化の検出システム。
【発明の詳細な説明】
【技術分野】
【０００１】  本発明は、通信分野に関し、具体的に、パケット経路の信号劣化（Ｓｉｇｎａｌ  Ｄｅｇｒａｄｅｄ、以下、ＳＤと略称）の検出方法、装置及びシステムに関する。
【背景技術】
【０００２】  近年、パケット技術は徐々に伝送網に応用され、同時に、パケット技術も伝送網の一部の特性、例えば、運用・管理・保守（Ｏｐｅｒａｔｉｏｎ  Ａｄｍｉｎｉｓｔｒａｔｉｏｎ  ａｎｄ  Ｍａｉｎｔｅｎａｎｃｅ、以下、ＯＡＭと略称）と保護等の特性を吸収している。【０００３】  関連技術において、伝送網のＯＡＭの特性は信号劣化を含む。如何にパケット経路で信号劣化を検出するかについて、今は主に直接モニターする形態、即ち、既存のパケットロス測定結果又はＯＡＭメッセージパケットロス測定結果に基づいて、パケット経路上の信号劣化を検出する。【０００４】  しかし、本願の発明者は、当該直接モニター形態によると、パケット経路のサービスメッセージ又はＯＡＭメッセージのレートが小さいと、信号劣化を検出できないことを発見した。
【発明の概要】
【０００５】  本発明は、少なくとも関連技術において既存のパケットロス測定結果又はＯＡＭメッセージパケットロス測定結果を直接用いてパケット経路の信号劣化を検出する場合、パケット経路のサービスメッセージ又はＯＡＭメッセージのレートが小さいとパケット経路の信号劣化を検出できない問題を解決できるパケット経路の信号劣化の検出方法、装置及びシステムを提供することを目的とする。
【０００６】  上記目的を実現するため、本発明の一態様によると、パケット経路の信号劣化の検出方法を提供する。
本発明によるパケット経路の信号劣化の検出方法は、サービス層／サービスサブ層が自体の信号劣化を確定するステップと、クライアント層／クライアントサブ層のパケット経路のシンクノードに周期的に、パケット経路の信号劣化状態への進入を指示する信号劣化指示情報を送信するステップとを含む。
【０００７】  サービス層／サービスサブ層が自体の信号劣化を確定するステップは、サービス層／サービスサブ層中のパケット経路に対応する各段のサービス層／サービスサブ層がそれぞれ、自体の信号劣化を検出し、各段のサービス層／サービスサブ層中のいずれかの一つのサービス層／サービスサブ層が自体の信号劣化を検出した場合、サービス層／サービスサブ層の信号劣化を確定するステップを含む。
【０００８】  クライアント層／クライアントサブ層のパケット経路のシンクノードに周期的に信号劣化指示情報を送信するステップは、ＯＡＭメッセージに信号劣化指示情報を携帯し、下流ノードによってシンクノードにＯＡＭメッセージを送信するステップを含む。
【０００９】  上記方法は、クライアント層／クライアントサブ層のパケット経路に周期的に信号劣化指示情報を送信した後、サービス層／サービスサブ層が自体の信号劣化の消失を確定し、クライアント層／クライアントサブ層のパケット経路に周期的に信号劣化指示情報を送信することを停止するステップをさらに含む。
【００１０】  信号劣化指示情報は、サービス層／サービスサブ層の信号劣化状態を含む。
【００１１】  上記目的を実現するため、本発明の一態様によると、パケット経路の信号劣化の検出方法を提供する。
本発明によるパケット経路の信号劣化の検出方法は、クライアント層／クライアントサブ層のパケット経路のシンクノードが、パケット経路の信号劣化状態への進入を指示する信号劣化指示情報を受信し、パケット経路の信号劣化状態への進入を制御するステップを含む。
【００１２】  上記方法は、パケット経路の信号劣化状態への進入を制御した後、シンクノードが、予め設定した時間内で信号劣化指示情報を受信していないと確定し、パケット経路の信号劣化状態からの退出を制御するステップをさらに含む。
【００１３】  上記目的を実現するため、本発明の他の一態様によると、パケット経路の信号劣化の検出装置を提供する。
本発明のパケット経路の信号劣化の検出装置はサービス層／サービスサブ層に応用され、サービス層／サービスサブ層の信号劣化を確定する確定モジュールと、クライアント層／クライアントサブ層のパケット経路のシンクノードに周期的に、パケット経路の信号劣化状態への進入を指示する信号劣化指示情報を送信する送信モジュールと、を含む。
【００１４】  上記目的を実現するため、本発明の他の一態様によると、パケット経路の信号劣化の検出装置を提供する。
本発明のパケット経路の信号劣化の検出装置はクライアント層／クライアントサブ層のパケット経路のシンクノードに応用され、パケット経路の信号劣化状態への進入を指示する信号劣化指示情報を受信する受信モジュールと、パケット経路の信号劣化状態への進入を制御する制御モジュールと、を含む。
【００１５】  上記目的を実現するため、本発明の他の一態様によると、パケット経路の信号劣化の検出システムを提供する。
本発明のパケット経路の信号劣化の検出システムは、サービス層／サービスサブ層とクライアント層／クライアントサブ層のパケット経路のシンクノードとを含み、サービス層／サービスサブ層は、サービス層／サービスサブ層の信号劣化を確定する確定モジュールと、クライアント層／クライアントサブ層のパケット経路のシンクノードに周期的に、パケット経路の信号劣化状態への進入を指示する信号劣化指示情報を送信する送信モジュールと、を含み、クライアント層／クライアントサブ層のパケット経路のシンクノードは、信号劣化指示情報を受信する受信モジュールと、パケット経路の信号劣化状態への進入を制御する制御モジュールと、を含む。
【００１６】  本発明によると、サービス層／サービスサブ層の信号劣化結果を直接にクライアント層／クライアントサブ層の信号劣化結果とし、検出結果の信頼性を保証でき、検出プロセスを簡略化できる。
【図面の簡単な説明】
【００１７】ここで説明する図面は本発明を理解させるためのもので、本発明の一部を構成し、本発明における実施例と共に本発明を解釈し、本発明を不当に限定するものではない。
【図１】本発明の実施例に係わるパケット経路の信号劣化を模式的に示す図である。
【図２】本発明の実施例に係わるパケット経路の信号劣化の検出方法を示すフローチャート１である。
【図３】本発明の実施例に係わるパケット経路の信号劣化の検出方法を示すフローチャート２である。
【図４】本発明の好適な実施例に係わるパケット経路の信号劣化の検出方法を示すフローチャートである。
【図５】本発明の実施例に係わるパケット経路の信号劣化の検出装置の構造を示すブロック図１である。
【図６】本発明の実施例に係わるパケット経路の信号劣化の検出装置の構造を示すブロック図２である。
【図７】本発明の実施例に係わるパケット経路の信号劣化の検出システムの構造を示すブロック図である。
【発明を実施するための形態】
【００１８】  ここで、互いに衝突しない限り、本願に記載の実施例及び実施例に記載の特徴を互いに組み合わせることができる。以下、図面を参照しつつ実施例を結合して本発明を詳しく説明する。
図１は、本発明の実施例に係わるパケット経路の信号劣化を示す図で、図１に示すように、プロバイダエッジ（Ｐｒｏｖｉｄｅｒ  Ｅｄｇｅ、以下、ＰＥと略称）と、プロバイダ（Ｐｒｏｖｉｄｅｒ、以下、Ｐと略称）とを、含む。具体的に、ＰＥ１とＰ１との間、Ｐ１とＰ２との間、Ｐ２とＰＥ２との間は直接の同期デジタルハイアラーキー（Ｓｙｎｃｈｒｏｎｏｕｓ  Ｄｉｇｉｔａ  Ｈｉｅｒａｒｃｈｙ、以下、ＳＤＨと略称）の物理接続であり、ＰＥ１とＰＥ２との間には模擬のイーサネットパケット経路１が確立されている。従って、パケット経路１と上記物理接続とは、サービス層／サービスサブ層とクライアント層／クライアントサブ層との関係である。
【００１９】  説明の便宜を図るため、上記経路は単方向のもので、ＰＥ１−＞Ｐ１−＞Ｐ２−＞ＰＥ２の方向であると仮定する。しかし、実際の応用において、サービス層／サービスサブ層とクライアント層／クライアントサブ層との関係を満たすすべてのレイヤ網又はサブネットワーク及びそのネストは全て当該方法を用いることができる。また、本発明において、サービス層／サービスサブ層とクライアント層／クライアントサブ層に対して具体的なネットワーク層を制限していなく、また、サービス層／サービスサブ層とクライアント層／クライアントサブ層に対して具体的な実現技術を制限をしない。
【００２０】  図１に示す模式図に基づいて、本願によると、パケット経路の信号劣化の検出方法を提供する。図２は、本発明の実施例に係わるパケット経路の信号劣化の検出方法を示すフローチャート１で、図２に示すように、以下のステップＳ２０２〜ステップＳ２０４を含む。
サービス層／サービスサブ層は、自体の信号劣化を確定する（ステップＳ２０２）。
【００２１】  クライアント層／クライアントサブ層のパケット経路のシンクノードに周期的に、パケット経路が信号劣化状態に進入することを指示する信号劣化指示情報を送信する（ステップＳ２０４）。
【００２２】  関連技術において、既存のパケットロス測定結果又はＯＡＭメッセージパケットロス測定結果を直接利用してパケット経路上の信号劣化を検出することによって、パケット経路のサービスメッセージ又はＯＡＭメッセージのレートが小さい場合、パケット経路の信号劣化を検出できなくなる。
【００２３】  本発明において、統計学から見ると、サービス層／サービスサブ層に符号誤りが発生すると、クライアント層／クライアントサブ層にも同じ確率の符号誤りが発生するので、サービス層／サービスサブ層の符号誤り率でクライアント層／クライアントサブ層の符号誤り率を説明することができる。従って、本発明の実施例において、直接にサービス層／サービスサブ層の信号劣化結果をクライアント層／クライアントサブ層の信号劣化結果とすることによって、検出結果の信頼性を保証し、検出プロセスの簡略化を実現する。
【００２４】  サービス層／サービスサブ層が自体の信号劣化を確定するステップは、サービス層／サービスサブ層中のパケット経路に対応する各段のサービス層／サービスサブ層がそれぞれ自体の信号劣化を検出し、各段のサービス層／サービスサブ層中のいずれかの一つのサービス層／サービスサブ層が自体の信号劣化を検出した場合、サービス層／サービスサブ層の信号劣化を確定するステップを含むことが好ましい。
【００２５】  図１に示す模式図に基づいて、パケット経路１は三段のサービス層／サービスサブ層、即ち、ＰＥ１とＰ１、Ｐ１とＰ２、Ｐ２とＰＥ２に対応する。当該三段のサービス層／サービスサブ層はいずれも符号誤りが発生する可能性があるが、同時に符号誤りが発生する確率は低いので、当該好適な実施例において、各段のサービス層／サービスサブ層の符号誤り率のみを個別にモニターし、ある一つのサービス層／サービスサブ層の符号誤り率でクライアント層／クライアントサブ層の符号誤り率を説明し、関連技術で常用の各段のサービス層／サービスサブ層の符号誤り率を累積してクライアント層／クライアントサブ層のパケット経路の符号誤り率を計算する方式を採用しているのではないので、サービス層／サービスサブ層の自体の信号劣化確定プロセスを簡略化でき、システム処理効率を向上できる。
【００２６】  また、各段のサービス層／サービスサブ層の符号誤り率を累積してクライアント層／クライアントサブ層のパケット経路の符号誤り率を計算することは欠点があり、即ち、サービス層／サービスサブ層に用いる技術が符号誤りを発生するメッセージを捨てていないと、符号誤り付きのメッセージがずっと下流に伝送されるので、下流リンクで再び検出される恐れがある。その中のいずれかの下流リンクにも符号誤りが存在すると、符号誤りは下流リンクで累積されるので、クライアント層／クライアントサブ層が各サービス層／サービスサブ層の符号誤り率を累積すると、重複累積され、検出の結果が正確でなくなる。その故、本発明において、サービス層／サービスサブ層で符号誤り発生のメッセージを捨てていない技術を用いる場合又は単一の段のサービス層／サービスサブ層のみに符号誤りが発生する場合について、上流ノードから送信された符号誤り率の記録及び累積を低減し、クライアント層／クライアントサブ層の処理プロセスの簡略化を実現できる。
【００２７】  クライアント層／クライアントサブ層のパケット経路のシンクノードに周期的に信号劣化指示情報を送信するステップは、ＯＡＭメッセージに信号劣化指示情報を携帯し、下流ノードによってシンクノードにＯＡＭメッセージを送信するステップを含むことが好ましい。
【００２８】  図１に示す模式図に基づいて、サービス層／サービスサブ層のＰＥ１とＰ１とに信号劣化が発生すると、Ｐ１ノードが検出してから、下流ノードＰ２とＰＥ２に信号劣化指示情報を携帯したＯＡＭメッセージを送信することによって、パケット経路の信号劣化の検出プロセスを簡略化し、検出結果の信頼性を保証できる。
【００２９】  サービス層／サービスサブ層とクライアント層／クライアントサブ層の配置に応じて確定する方式と、サービス層／サービスサブ層とクライアント層／クライアントサブ層との間の伝送交換テーブルに基づいて確定する方式の中の一つによって予めサービス層／サービスサブ層とクライアント層／クライアントサブ層のパケット経路の関係を確定することが好ましい。
【００３０】  クライアント層／クライアントサブ層のパケット経路に周期的に信号劣化指示情報を送信した後、サービス層／サービスサブ層が自体の信号劣化の消失を確定し、クライアント層／クライアントサブ層のパケット経路への信号劣化指示情報の周期的な送信を停止するステップをさらに含むことが好ましい。
【００３１】  サービス層／サービスサブ層の信号劣化は自ら回復することを考えて、当該好適な実施例において、サービス層／サービスサブ層が自体の信号劣化の消失を確定した後、クライアント層／クライアントサブ層のパケット経路への信号劣化指示情報の周期的な送信を停止することによって、クライアント層／クライアントサブ層が信号劣化指示情報を受信していない場合信号劣化状態から退出し、クライアント層／クライアントサブ層が可能な限り正常の動作状態に回復し、システム性能を保証できる。
【００３２】  信号劣化指示情報は、サービス層／サービスサブ層の信号劣化状態を含むことが好ましい。
【００３３】  信号劣化指示情報は、サービス層／サービスサブ層の位置マーク、信号劣化指示情報の送信周期の中の少なくとも一つをさらに含むことが好ましい。
【００３４】  図１に示す模式図に基づいて、本発明によると、パケット経路の信号劣化の検出方法をさらに提供する。図３は、本発明の実施例に係わるパケット経路の信号劣化の検出方法を示すフローチャート２で、図３に示すように、以下のステップＳ３０２〜ステップＳ３０４を含む。
クライアント層／クライアントサブ層のパケット経路のシンクノードは、パケット経路が信号劣化状態に進入することを指示する信号劣化指示情報を受信する（ステップＳ３０２）。
【００３５】  パケット経路の信号劣化状態への進入を制御する（ステップＳ３０４）。
【００３６】  関連技術において、既存のパケットロス測定結果又はＯＡＭメッセージパケットロス測定結果を直接利用してパケット経路上の信号劣化を検出することによってパケット経路のサービスメッセージ又はＯＡＭメッセージのレートが小さい場合、パケット経路の信号劣化を検出できなくなる。
【００３７】  本発明において、統計学から見ると、サービス層／サービスサブ層に符号誤りが発生する場合、クライアント層／クライアントサブ層にも同じ確率で符号誤りが発生するので、サービス層／サービスサブ層の符号誤り率でクライアント層／クライアントサブ層の符号誤り率を説明することができる。その故、本発明の実施例において、クライアント層／クライアントサブ層は、直接にサービス層／サービスサブ層の信号劣化結果を用いてパケット経路の信号劣化状態への進入を制御し、検出結果の信頼性を保証でき、検出プロセスを簡略化できる。
【００３８】  パケット経路が信号劣化状態に進入した後、シンクノードが予め設定した時間内に信号劣化指示情報を受信していないことを確定し、パケット経路の信号劣化状態からの退出を制御するステップをさらに含むことが好ましい。
【００３９】  サービス層／サービスサブ層の信号劣化は自ら回復することを考えて、当該好適な実施例において、シンクノードが予め設定した時間内に信号劣化指示情報を受信していない場合、パケット経路の信号劣化状態からの退出を制御することによって、クライアント層／クライアントサブ層が可能な限り正常な動作状態へ回復することを保証でき、システムの性能を保証できる。
【００４０】  以下、上記サービス層／サービスサブ層の操作とクライアント層／クライアントサブ層の操作を結合し、また、実施例を結合して本発明の実施例の実現プロセスを詳しく説明する。
図４は、本発明の好適な実施例に係わるパケット経路の信号劣化の検出方法を示すフローチャートで、図４に示すように、以下のステップＳ４０２〜ステップＳ４１４を含む。
物理リンク（ＰＥ１−＞Ｐ１，Ｐ１−＞Ｐ２，Ｐ２−＞ＰＥ２）の信号劣化の検出をスタートする（ステップＳ４０２）。
【００４１】  パケット経路１のＳＤ検出をスタートし、信号劣化指示情報を受信できＳＤを判断できる状態に進入する（ステップＳ４０４）。
【００４２】  正常の場合、各リンクは信号劣化状態を検出できないと、クライアント層に何の情報も送信しなく、パケット経路１がいずれの上流ノードからの信号劣化情報も受信できないと、正常の状態として維持する（ステップＳ４０６）。
【００４３】  リンクＰＥ１−＞Ｐ１間に信号劣化が出現し、ＳＤ状態に進入すると、Ｐ１ノードが検出してから、信号劣化の発生を指示する情報、サービス層／サービスサブ層の位置マーク（本実施例においてはＰ１ノード）、情報送信周期（本実施例においては１秒）を特定のＯＡＭメッセージに書き込んで、パケット経路１に挿入して下流ノードに周期的に送信する（ステップＳ４０８）。
【００４４】  パケット経路１のシンクノードＰＥ２は、Ｐ１ノードから送信された信号劣化の発生等の指示情報を受信し記録することによって、パケット経路１も同期してＳＤ状態に進入する（ステップＳ４１０）。
【００４５】  リンクＰＥ１−＞Ｐ１の信号劣化が消失し、ＳＤ状態から退出すると、Ｐ１は信号劣化指示情報の送信を停止する（ステップＳ４１２）。
【００４６】  パケット経路１のシンクノードＰＥ２が上流ノードから送信された信号劣化指示情報を受信できなく、一定の確認周期の経過後に、サービス層が既にＳＤ状態から退出したと確認すると、パケット経路１もＳＤ状態から退出し、正常状態に回復する（ステップＳ４１４）。
【００４７】  ここで、図面に示すフローチャートで示すステップを、１セットの計算装置が命令を実行可能な計算装置システムにおいて実行することができ、また、フローチャートで論理順を示しているが、場合によってはこれと違う順で行うこともできる。
【００４８】  本発明の実施例によると、パケット経路の信号劣化の検出装置を提供し、当該パケット経路の信号劣化の検出装置はサービス層／サービスサブ層に応用でき、上記パケット経路の信号劣化の検出方法の実現にも応用できる。図５は、本発明の実施例に係わるパケット経路の信号劣化の検出装置の構造を示すブロック図１で、図５に示すように、確定モジュール５２と、送信モジュール５４とを含む。
以下、その構造を詳しく説明する。
確定モジュール５２はサービス層／サービスサブ層の信号劣化を確定し、送信モジュール５４は確定モジュール５２に接続されて確定モジュール５２によりサービス層／サービスサブ層の信号劣化が確定された後、クライアント層／クライアントサブ層のパケット経路のシンクノードに信号劣化指示情報を周期的に送信し、ここで、信号劣化指示情報はパケット経路の信号劣化状態への進入を指示する。
ここで、装置実施例で説明したパケット経路の信号劣化の検出装置は上記の方法実施例に対応し、具体的な実現プロセスは方法実施例において詳しく説明したので、ここでは説明を省略する。
【００４９】  本発明の実施例によると、パケット経路の信号劣化の検出装置を提供し、当該パケット経路の信号劣化の検出装置はクライアント層／クライアントサブ層のパケット経路のシンクノードに応用できる共に、上記パケット経路の信号劣化の検出方法にも応用できる。図６は、本発明の実施例に係わるパケット経路の信号劣化の検出装置の構造を示すブロック図２で、図６に示すように、受信モジュール６２と、制御モジュール６４と、を含む。以下、その構造を詳しく説明する。
受信モジュール６２はパケット経路の信号劣化状態への進入を指示する信号劣化指示情報を受信し、制御モジュール６４は受信モジュール６２に接続されて、受信モジュール６２から受信した信号劣化指示情報に基づいて、パケット経路の信号劣化状態への進入を制御する。
ここで、装置実施例で説明したパケット経路の信号劣化の検出装置は上記の方法実施例に対応し、具体的な実現プロセスは方法実施例において詳しく説明したので、ここでは説明を省略する。
【００５０】  本発明の実施例によると、パケット経路の信号劣化の検出システムを提供し、当該パケット経路の信号劣化の検出システムは、上記パケット経路の信号劣化の検出方法の実現に応用できる。図７は、本発明の実施例に係わるパケット経路の信号劣化の検出システムの構造を示すブロック図で、図７に示すように、サービス層／サービスサブ層７２と、クライアント層／クライアントサブ層のパケット経路のシンクノード７４と、を含み、ここで、サービス層／サービスサブ層７２は確定モジュール７２２と送信モジュール７２４とを含み、クライアント層／クライアントサブ層のパケット経路のシンクノード７４は受信モジュール７４２と制御モジュール７４４とを含む。以下、その構造を詳しく説明する。
【００５１】  確定モジュール７２２はサービス層／サービスサブ層の信号劣化を確定し、送信モジュール７２４は確定モジュール７２２に接続されて確定モジュール７２２によりサービス層／サービスサブ層の信号劣化が確定された後、クライアント層／クライアントサブ層のパケット経路のシンクノードにパケット経路の信号劣化状態への進入を指示する信号劣化指示情報を周期的に送信し、受信モジュール７４２は送信モジュール７２４に接続され、送信モジュール７２４から送信される信号劣化指示情報を受信し、制御モジュール７４４は受信モジュール７４２に接続されて受信モジュール７４２から受信した信号劣化指示情報に基づいて、パケット経路の信号劣化状態への進入を制御する。
ここで、装置実施例で説明したパケット経路の信号劣化の検出システムは上記の方法実施例に対応し、具体的な実現プロセスは方法実施例において詳しく説明したので、ここでは説明を省略する。
【００５２】  上述のように、本発明の上記実施例によると、パケット経路の信号劣化の検出方法、装置及びシステムを提供する。本発明によると、直接に、サービス層／サービスサブ層の信号劣化結果をクライアント層／クライアントサブ層の信号劣化結果として、本発明によると、関連技術において直接に既存のパケットロス測定結果又はＯＡＭメッセージパケットロス測定結果を用いてパケット経路上の信号劣化を検出することによってパケット経路のサービスメッセージ又はＯＡＭメッセージのレートが小さい場合、パケット経路の信号劣化を検出できない問題を解決でき、検出結果の信頼性を保証でき、検出プロセスを簡略化できる。
【００５３】  当業者にとって、上記の本発明の各モジュール又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のモジュール又はステップを単独の集積回路ブロックに製作して実現することができることは明らかなことである。このように、本発明は如何なる特定のハードウェアとソフトウェアの結合にも限定されない。
【００５４】  以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【図１】
2014519282.tif 000003
【図２】
2014519282.tif 000004
【図３】
2014519282.tif 000005
【図４】
2014519282.tif 000006
【図５】
2014519282.tif 000007
【図６】
2014519282.tif 000008
【図７】
2014519282.tif 000009
【国際調査報告】
2014519282.tif 000010
2014519282.tif 000011
2014519282.tif 000012
2014519282.tif 000013